(57)【要約】      （修正有）【課題】せん断補強鉄筋とコンクリートの付着性が高まることで主筋又は配力筋間の連結強度が飛躍的に向上するせん断補強鉄筋を提供する。【解決手段】鋼棒１と、鋼棒を長手方向に並行な平面で分割した分割鋼棒２を備え、分割鋼棒は、分割面を介して鋼棒の少なくとも一端に主筋又は配力筋に掛止するために固定されていて、分割面の幅は、鋼棒の直径よりも大きく、分割鋼棒は鋼棒を半割りにした形状とされていて、鋼棒と分割鋼棒は摩擦圧接により固定されている。【選択図】図１
2019073873.tif 000002
【特許請求の範囲】
【請求項１】
並設した二本の主筋又は配力筋間を連結するせん断補強鉄筋において、鋼棒と、鋼棒を長手方向に並行な平面で分割した分割鋼棒を備え、該分割鋼棒は、分割面を介して前記鋼棒の少なくとも一端に前記主筋又は配力筋に掛止するために固定されていることを特徴としたせん断補強鉄筋。
【請求項２】
前記分割面の幅は、前記鋼棒の直径よりも大きいことを特徴とする請求項１に記載のせん断補強鉄筋。
【請求項３】
前記分割鋼棒は鋼棒を半割りにした形状とされていることを特徴とする請求項１又は２に記載のせん断補強鉄筋。
【請求項４】
前記鋼棒と前記分割鋼棒は摩擦圧接により固定されていることを特徴とする請求項１乃至３に記載のせん断補強鉄筋。
【発明の詳細な説明】
【技術分野】
【０００１】
本発明は、主筋又は配力筋間を連結するせん断補強鉄筋に関するものである。
【背景技術】
【０００２】
鉄筋コンクリート構造では、コンクリート内に主筋（軸方向鉄筋）や配力筋（軸方向鉄筋と直角の向きの鉄筋）を配筋すると共に、必要に応じて強度を増大するため主筋や配力筋と交差する方向に主筋等の間を連結するせん断補強鉄筋を配筋する必要がある。従来のせん断補強鉄筋において、特許文献１に示すように、鋼棒の端部に掛止板を固定し、前記主筋又は配力筋に掛止するものがあった。
【先行技術文献】
【特許文献】
【０００３】
【特許文献１】特開平１０−１９６１２０号公報
【発明の概要】
【発明が解決しようとする課題】
【０００４】
しかしながら、前記のようなせん断補強鉄筋において、掛止板とコンクリートとの付着性が十分でないため、掛止板がコンクリートと分離し、構造物の堅牢性が低下する虞があるという問題があった。
【０００５】
本発明は前記実情を鑑みたものであり、せん断補強鉄筋とコンクリートの付着性が高まることで主筋又は配力筋間の連結強度が飛躍的に向上するせん断補強鉄筋を提供することを目的とする。
【課題を解決するための手段】
【０００６】
本発明のせん断補強鉄筋は、並設した二本の主筋又は配力筋間を連結するせん断補強鉄筋において、鋼棒と、鋼棒を長手方向に並行な平面で分割した分割鋼棒を備え、該分割鋼棒は、分割面を介して前記鋼棒の少なくとも一端に前記主筋又は配力筋に掛止するために固定されていることを特徴とする。
【０００７】
前記の構成に加えて請求項２に記載の通り、前記分割面の幅は、前記鋼棒の直径よりも大きいことを特徴とする。
【０００８】
また、請求項３に記載の通り、前記分割鋼棒は鋼棒を半割りにした形状とされていることを特徴とする。
【０００９】
さらに、請求項４に記載の通り、前記鋼棒と前記分割鋼棒は、摩擦圧接により固定されていることを特徴とする。
【発明の効果】
【００１０】
請求項１に記載の発明によれば、掛止板ではなく節のある分割鋼棒を用いたことで、コンクリートとの付着性が向上するので、施工後の配筋強度が増大し、より堅牢な構造物の構築への寄与が期待できる。
また、分割鋼棒は鋼棒より得られるので、コストダウンが可能となる。
【００１１】
請求項２に記載の発明によれば、分割面の幅が鋼棒の直径よりも大きいため、摩擦圧接によりしっかりと固定することができる。また、分割面の幅が鋼棒の直径以下である場合に比べて、分割鋼棒がコンクリートに触れる表面積が大きくなるため、コンクリートとの付着性が向上する。
【００１２】
請求項３に記載の発明によれば、分割鋼棒は鋼棒を半割りにした形状とされているため、分割した分割鋼棒を有効に使用することができ、更なるコストダウンが可能となる。
さらに、半割りにした場合が、最も分割面の面積が大きくなり、また、節による付着面積も大きくなるため、コンクリートへの定着性が向上する。
【００１３】
請求項４に記載の発明によれば、鋼棒と分割鋼棒は摩擦圧接により固定されているため、鋼棒と掛止板とを固定するよりも、同種金属であるため接着性が高くなる。また、分割鋼棒は鋼棒から得られるため、少量生産にも対応可能である。
【図面の簡単な説明】
【００１４】
【図１】本発明のせん断補強鉄筋の構成を示す側面図である。
【図２】本発明のせん断補強鉄筋を主筋に取り付けた状態の斜視図であって、（ａ）は実施形態の一例であり、（ｂ）は他の実施形態例である。
【図３】本発明のせん断補強鉄筋の分割鋼棒取り付け端部の実施形態例を示す、（ａ）は正面図、（ｂ）は側面図、（ｃ）は背面図、（ｄ）は平面図である。
【発明を実施するための形態】
【００１５】
以下、本発明の実施の形態を図面に基づいて説明する。
【００１６】
図１に示すように、本発明のせん断補強鉄筋は、鋼棒１と、分割鋼棒２とで構成される。
【００１７】
鋼棒１は、主筋４又は配力筋間を連結して補強するためのものであって、一端がフック状であり、他端には、主筋４又は配力筋にせん断補強鉄筋を掛止するための分割鋼棒２が固定される。なお、他の実施例として、図２（ｂ）に示すように、鋼棒１の両端に分割鋼棒２が固定されていてもよい。
【００１８】
分割鋼棒２は、図３に示すように、鋼棒１の一端または両端において、鋼棒１に対して分割面３を介して摩擦圧接によって固定される。せん断補強鉄筋は、図２に示すように、分割鋼棒２により、主筋４に掛止される。
【００１９】
分割面３の幅は、鋼棒１の直径よりも大きくなるようにされている。これは鋼棒１と分割鋼棒２とを固定する際に必要なスペースを確保するためであるが、分割面３の幅が鋼棒１の直径以下である場合に比べて、分割鋼棒２がコンクリートに触れる表面積が大きくなるため、コンクリートへの定着性が向上するという効果も得られる。なお、分割鋼棒２の直径は、設計の都合上不都合のない範囲で決めることができる。
【００２０】
また、分割鋼棒２は鋼棒を半割りにした形状とされている。半割りにした状態が最も分割面３の面積が大きくなり、また、節による付着面積も大きくなるため、コンクリートへの定着性が向上する。なお、半割でなくとも、分割面３の幅が、鋼棒１の直径よりも大きくされていればよい。
【００２１】
ここで、配筋済みの主筋４に対し、本発明のせん断補強鉄筋を取り付ける方法を述べる。
【００２２】
まず、せん断補強鉄筋の一端の形状がフック状である場合を、図２（ａ）を用いて説明する。初めに、並設された２本の主筋４のうち一方の主筋４に、フック部５を引っ掛ける。次に、他方の主筋４に対し、分割鋼棒２を上方から被せるように配設する。その後、配筋済みの主筋４およびせん断補強鉄筋に対して、コンクリートを打設する。
【００２３】
なお、図２（ｂ）に示す、せん断補強鉄筋の両端に分割鋼棒２を備える場合には、初めに一方の分割鋼棒２を上記と同様に、主筋４に対してその上方から被せるように配設し、次に他方の分割鋼棒２についても同様に、他方の主筋４に対して配設する。その後、コンクリートを上記と同様に打設する。
【００２４】
本発明は、上記の実施形態に限定されない。例えば、鋼棒１の一端のみに分割鋼棒２を設ける場合、鋼棒１の他端部の形状は、フック状に限定されず、他の形状であってもよい。
【符号の説明】
【００２５】
１  鋼棒
２  分割鋼棒
３  分割面
４  主筋
５  フック部
【図１】
2019073873.tif 000003
【図２】
2019073873.tif 000004
【図３】
2019073873.tif 000005